(57)【特許請求の範囲】
【請求項１】
円盤状の回転型の記録媒体と、前記記録媒体に固着された略ドーナツ形状のメディアハブと、これらを収容し中心部に穴を有するシェルとを備えるリムーバブルディスクが装着されて前記記録媒体を回転させるスピンドルモータにおいて、
断面形状がコの字形のメディアハブ保持手段と、前記メディアハブを下方向に吸引する吸引手段と有するとともに、前記メディアハブにテーパ部が設けられ、
前記リムーバブルディスクが装着されているときは、前記吸引手段は、前記メディアハブを下方向に吸引し、前記メディアハブ保持手段は、その一方の端が前記メディアハブに押さえられ、他の一方の端が前記スピンドルモータの円筒形の出っ張り部と前記メディアハブの中心部にある穴の内径壁面との間にあって前記内径壁面の水平方向の動きを拘束し、
前記リムーバブルディスクの排出時には、前記シェルの穴の縁部が前記メディアハブのテーパ部を押すことにより前記メディアハブを上方に移動させるとともに、前記メディアハブの一部が前記スピンドルモータの円筒形の出っ張り部の中心方向へ移動し、前記メディアハブ保持手段は、前記他の一方の端が属するコの字の一辺の付け根部分を支点として回転することにより前記他の一方の端が前記スピンドルモータの円筒形の出っ張り部の中心方向へ移動することを特徴とするスピンドルモータ。
【請求項２】
円盤状の回転型の記録媒体と、前記記録媒体に固着された略ドーナツ形状のメディアハブと、これらを収容し中心部に穴を有するシェルとを備えるリムーバブルディスクが装着されて前記記録媒体を回転させるスピンドルモータから前記リムーバブルディスクを排出する方法において、
前記スピンドルモータが、断面形状がコの字型のメディアハブ保持手段と、前記メディアハブを下方向に吸引する吸引手段とを有するとともに、前記メディアハブにテーパ部が設けられ、
前記リムーバブルディスクが装着されているときに、前記吸引手段が前記メディアハブを下方向に吸引し、前記メディアハブ保持手段の一方の端が前記メディアハブに押さえられるとともに、前記メディアハブ保持手段の他の一方の端が前記スピンドルモータの円筒形の出っ張り部と前記メディアハブの中心部にある穴の内径壁面との間にあって前記内径壁面の水平方向の動きを拘束しており、
前記リムーバブルディスクの排出時において、
前記シェルの穴の縁部が前記メディアハブのテーパ部を押すことにより前記メディアハブを上方に移動させるとともに、前記メディアハブの一部が前記スピンドルモータの円筒形の出っ張り部の中心方向へ移動するステップと、
前記メディアハブ保持手段が、前記他の一方の端が属するコの字の一辺の付け根部分を支点として回転することにより、前記他の一方の端が前記スピンドルモータの円筒形の出っ張り部の中心方向へ移動するステップとを含むことを特徴とするリムーバブルディスク排出方法。
【発明の詳細な説明】
【０００１】
【発明の属する技術分野】
本発明は、リムーバブルディスク装置用スピンドルモータのリムーバブルディスク排出機構に関し、特にリムーバブルディスク排出時にメディアハブがスピンドルハブからスムーズに外れるようにするための機構に関する。
【０００２】
【従来の技術】
従来のリムーバブルディスク装置用スピンドルモータについて図８を参照して説明する。従来のリムーバブルディスク装置用スピンドルモータは、スピンドルハブ５の上面にある出っ張り部５ａ（略円筒形となっており上からみると円に見える）の外径壁面５ｂによりメディアハブ４１の中心に設けられた穴の内径を直接拘束する構造となっている。すなわち、内径壁面４１１がスピンドルモータ５の出っ張り部５ａによりその位置が規制されている。
【０００３】
そのため、磁気記憶媒体の偏心を減少させるためにスピンドルハブ５の外径とメディアハブ４１の内径との間のクリアランスを小さくすると、リムーバブルディスク４の排出時に、不都合が生じる。即ち図９においてシェル４３が右方向に移動すると丸穴縁部４４がテーパ部４１２にあたる結果、メディアハブ４１が上へ押し上げられると、以下に説明する”カジリ”が発生し易くなる。
【０００４】
ここで図１０は、メディアハブ４１が押し上げられて”カジリ”を発生するときの、内径壁面４１１とスピンドルハブ５（外径壁面５ｂ）との位置関係を示す図である。Ｂ、Ｃはスピンドルハブ５の中央断面の端部であり長さＢＣが外径すなわち円筒形の直径の長さを示す。Ａ，Ｄは内径壁面４１１の角（かど  ）の点であり、長さＡＤはメディアハブ４１の中空部分の内径を示す。
【０００５】
そうすると、図１０に示すように穴の内径ＡＤと出っ張り部５ａの外径ＢＣとの間にはＡＤ＜ＢＣなる関係があり、ＡＢの方向が内径壁面４１１の上下方向と平行であるときは長さＡＤ−ＢＣが両側のクリアランスの和となる。従ってもし内径壁面４１１とスピンドルハブ５の外径壁面上のＡＢが平行で、スピンドルハブ５を固定にしてメディアハブ４１をスピンドルハブ５のＡＢと平行に持ち上げる場合は問題なく持ち上がる。しかし、図１０のようにスピンドルハブ５（ＡＢ方向）に対して内径壁面４１１が傾いていると、Ｃ点が内径壁面４１１の内部に食いこんで動かなくなるという現象が生じ、この現象を以下で、カジリと称することにする。
【０００６】
この現象はＡＤ＜ＡＣとなる程度に内径壁面が傾いたときに起こる。言い換えればメディアハブ４１を持ち上げる際に、角Ｄが角Ｃを乗り越えるタイミングが遅いときにこの現象が起こる。
【０００７】
このカジリが生じるとスピンドルハブ５とメディアハブ４１との間に生じる摩擦により食いついて抜き差しならない状態となり、スピンドルハブ５からメディアハブ４１が外れず、リムーバブルディスク４が排出できないという問題があった。またメディアハブ４１の内径壁面４１１に損傷が生じるという問題があった。
【０００８】
【発明が解決しようとする課題】
第１の問題点は、リムーバブルディスクを排出するときにスピンドルハブ５からメディアハブ４１が外れないで動かなくなるということである。その理由はカジリ即ちスピンドルハブ５（ＡＢ方向）に対して内径壁面４１１が傾いていると、Ｃ点が内径壁面４１１の内部に食いこんで動かなくなるという現象が生じるからである。
【０００９】
第２の問題点は、リムーバブルディスクを排出するときにカジリが生じた状態で無理に排出しようとするとメディアハブ４１の内径壁面４１１に損傷が生じるということである。
【００１０】
その理由は、スピンドルハブ５（ＡＢ方向）に対して内径壁面４１１が傾いていると、Ｃ点が内径壁面４１１の内部に食いこんでさらに塑性変形をさせるからである。
【００１１】
本発明の目的はリムーバブルディスクの排出時にメディアハブがスピンドルハブとカジリを生じることなくスムーズに外れるようなスピンドルモータを提供することにある。
【００１２】
【課題を解決するための手段】
本発明のスピンドルモータは、円盤状の回転型の記録媒体と、前記記録媒体に固着された略ドーナツ形状のメディアハブと、これらを収容し中心部に穴を有するシェルとを備えるリムーバブルディスクが装着されて前記記録媒体を回転させるスピンドルモータにおいて、断面形状がコの字形のメディアハブ保持手段と、前記メディアハブを下方向に吸引する吸引手段と有するとともに、前記メディアハブにテーパ部が設けられ、前記リムーバブルディスクが装着されているときは、前記吸引手段は、前記メディアハブを下方向に吸引し、前記メディアハブ保持手段は、その一方の端が前記メディアハブに押さえられ、他の一方の端が前記スピンドルモータの円筒形の出っ張り部と前記メディアハブの中心部にある穴の内径壁面との間にあって前記内径壁面の水平方向の動きを拘束し、前記リムーバブルディスクの排出時には、前記シェルの穴の縁部が前記メディアハブのテーパ部を押すことにより前記メディアハブを上方に移動させるとともに、前記メディアハブの一部が前記スピンドルモータの円筒形の出っ張り部の中心方向へ移動し、前記メディアハブ保持手段は、前記他の一方の端が属するコの字の一辺の付け根部分を支点として回転することにより前記他の一方の端が前記スピンドルモータの円筒形の出っ張り部の中心方向へ移動することを特徴とする。
【００１３】
本発明のリムーバブルディスク排出方法は、円盤状の回転型の記録媒体と、前記記録媒体に固着された略ドーナツ形状のメディアハブと、これらを収容し中心部に穴を有するシェルとを備えるリムーバブルディスクが装着されて前記記録媒体を回転させるスピンドルモータから前記リムーバブルディスクを排出する方法において、前記スピンドルモータが、断面形状がコの字型のメディアハブ保持手段と、前記メディアハブを下方向に吸引する吸引手段とを有するとともに、前記メディアハブにテーパ部が設けられ、前記リムーバブルディスクが装着されているときに、前記吸引手段が前記メディアハブを下方向に吸引し、前記メディアハブ保持手段の一方の端が前記メディアハブに押さえられるとともに、前記メディアハブ保持手段の他の一方の端が前記スピンドルモータの円筒形の出っ張り部と前記メディアハブの中心部にある穴の内径壁面との間にあって前記内径壁面の水平方向の動きを拘束しており、前記リムーバブルディスクの排出時において、前記シェルの穴の縁部が前記メディアハブのテーパ部を押すことにより前記メディアハブを上方に移動させるとともに、前記メディアハブの一部が前記スピンドルモータの円筒形の出っ張り部の中心方向へ移動するステップと、前記メディアハブ保持手段が、前記他の一方の端が属するコの字の一辺の付け根部分を支点として回転することにより、前記他の一方の端が前記スピンドルモータの円筒形の出っ張り部の中心方向へ移動するステップとを含むことを特徴とする。
【００１６】
【発明の実施の形態】
次に、本発明の第１の実施の形態について詳細に説明する。
【００１７】
図１を参照して、本発明のリムーバブルディスク装置用スピンドルモータの構成を説明する。図１（ｂ）はスピンドルハブ１を上から見た場合のツメ２等の主要部品の位置を示したものであり、上半分のみ表示してある。下半分は表示していないが、上半分とＢＢ’に関して対称な形状となっている。したがって、ツメ２は３個所に存在する。この図からわかるようにスピンドルハブ１の一部にツメ２がはめこまれたような形で配置されている。図１（ａ）は図１（ｂ）のＢＢ’で切った断面をＡの方向から見た場合の図を示している。
【００１８】
この本発明のリムーバブルディスク用スピンドルモータは、スピンドルハブ１と、上面から見ると長方形の形状を有し、その一対の平行な２辺がスピンドルハブ１の外周端付近から略中心方向に向いて配置され、スピンドルハブ１の同心円上に等分配置された複数のツメ２と、ツメ２に対応してスピンドルハブ１と同心円上に配置されたドーナツ形状のマグネット３を備えている。ツメ２は、図１（ｂ）のＡの方向から見た断面がコの字の形状をしており（図１（ａ）参照）、支点２１を中心に回転可能な状態で前記スピンドルハブ１と連結され、一方の端２２と他方の端２３を有する。
【００１９】
なお、リード・ライトなどリムーバブル装置の稼動時にはスピンドルモータが回転し、このときスピンドルハブ１、ツメ２、メディアハブ４１、磁気記録媒体４２、マグネット３が一体となって回転する。スピンドルモータには、スピンドルハブ１を回転させるためのベアリング６やこれを保持する固定ベース７等も含まれるが、これらは当業者に周知であり、本発明の核心部分ではないので詳細説明を省略する。
【００２０】
次に、本発明の実施の形態の動作の説明を行う。
【００２１】
図１（ａ）と（ｂ）は、それぞれ本発明のリムーバブルディスク装置用スピンドルモータにリムーバブルディスク４が挿入されている状態を示す横断面と平面図である。前記リムーバブルディスク４は、メディアハブ４１（材質は例えばステンレス）と、前記メディアハブ４１が媒体中心部の領域（２つの同心円に囲まれた部分。図１（ａ）参照）に両面接着テープ４６により貼り付けられた円盤状の磁気記憶媒体４２と、前記磁気記憶媒体４２を収納するシェル４３で構成され、前記シェル４３の下面の中心部に前記メディアハブ４１が露出する丸穴４４ａが設けられている。
【００２２】
磁気記録媒体４２は両面接着テープ４６を介してメディアハブ４１に固着されており、リムーバブルディスク４がスピンドルモータに装着されていない状態ではメディアハブ４１が丸穴４４ａの中で動き得る状態になっている。
【００２３】
前記メディアハブ４１は、中心に設けられた穴の内径壁面４１１が前記ツメ２の他方の端２３により水平方向を拘束され、且つ、マグネット３の磁力により垂直方向（図１（ａ）では紙面の下の方向）に吸引されて、位置決め固定されている。この時、前記ツメ２の一方の端２２が前記メディアハブ４１に押さえられているので、前記ツメ２の他方の端２３は動かない。
【００２４】
次に図２に示すように、前記リムーバブルディスク４が図面右方向に排出のために移動すると、前記丸穴縁部４４が前記メディアハブ４１のテーパ部４１２と接触する。
【００２５】
更に図３に示すように、排出するために前記リムーバブルディスク４が図面右方向に移動すると、前記メディアハブ４１はテーパ部４１２を丸穴縁部４４に押されるので磁気記録媒体４２とともに、持ち上げられる。この時、前記メディアハブ４１と前記ツメ２の一方の端２２との間に間隙が発生する。しかしわずかな隙間であるから、図３では肉眼で確認できるほどは現れていない。
【００２６】
次に図４においては、前記ツメ２の他方の端２３は前記メディアハブ４１の内径壁面４１１に押され、前記ツメ２が前記支点２１を中心にまさに回転しようとしているところを示している。そして回転が始まると前記ツメ２の他方の端２３は前記スピンドルハブ１の中心に向かう方向に倒れ、前記メディアハブ４１は前記ツメ２の他方の端２３による水平方向の拘束力が緩和され、メディアハブ４１が図面右方向（排出方向）へわずかに移動しながら上方向にも移動し、スピンドルハブ１とカジリを生じることなくスムーズに外れることができる。ここでカジリを生じることなくスムーズに外れる理由は、図１０のＢＣに相当する長さがツメ２の回転により小さくなるためその結果としてＡＣの長さが小さくなり、ＡＣ＞ＡＤというカジリの条件を満たさなくなるからである。
【００２７】
そして図５に示すように、マグネット３の磁力による吸引力が及ばない範囲までメディアハブ４１は更に持ち上げられる。
【００２８】
続けて図６および図７に示すように、メディアハブ４１と前記スピンドルハブ１がスムーズに擦れながらリムーバブルディスク４は排出されていく。
【００２９】
本発明によるリムーバブルディスク装置用スピンドルモータは、リムーバブルディスク排出時にメディアハブがスピンドルハブとカジリを生じることなくスムーズに外れることが可能になるという作用効果を奏する。
【００３０】
本発明の実施形態では、回転可能なコの字をしたツメを３箇所としたが、例えば同一円周上に等配した４箇所あるいは６箇所であってもよく、磁気記憶媒体の偏心を抑制する配置であればよい。また２箇所の場合でも本発明の動作は可能であるが、３箇所以上の場合は偏心を抑制する効果があるので３箇所以上が好ましい。
【００３１】
また、メディアハブの内径壁面を拘束するツメは、リムーバブルディスクの排出動作と連動していればコの字でなくてもよい。
【効果の説明】
本発明によるリムーバブルディスク装置用スピンドルモータは、リムーバブルディスク排出時にメディアハブがスピンドルハブとカジリを生じることなくスムーズに外れるので、リムーバブルディスク装置の信頼性が向上する。
【００３２】
またリムーバブルディスクを排出するときにカジリが生じた状態で無理に排出しようとしてメディアハブ４１の内径壁面４１１に損傷が生じる現象を防止するという効果もある。
【図面の簡単な説明】
【図１】本発明の実施形態の構成を示す断面図および上面図である。
【図２】本発明の実施形態のリムーバブルディスクの排出動作を示す図である。
【図３】本発明の実施形態のリムーバブルディスクの排出動作を示す図である。
【図４】本発明の実施形態のリムーバブルディスクの排出動作を示す図である。
【図５】本発明の実施形態のリムーバブルディスクの排出動作を示す図である。
【図６】本発明の実施形態のリムーバブルディスクの排出動作を示す図である。
【図７】本発明の実施形態のリムーバブルディスクの排出動作を示す図である。
【図８】従来のリムーバブルスピンドルの構成を示す断面図である。
【図９】従来のリムーバブルスピンドルモータのリムーバブルディスクの排出動作を示す図である。
【図１０】従来のリムーバブルスピンドルモータのリムーバブルディスクの排出動作におけるカジリの生じる状態を示す図である。
【符号の説明】
１    スピンドルハブ
２    ツメ
２１    支点
２２    一方の端
２３    他方の端
３    マグネット
４    リムーバブルディスク
４１      メディアハブ
４１１    内径壁面
４２    磁気記録媒体
４３    シェル
４４    丸穴縁部
４５    センターピン
４６    両面接着テープ
５    スピンドルハブ
５ａ    出っ張り部
５ｂ    外径壁面
６    ベアリング
７    ベースプレート
【図１】
0003589145.tif 000002
【図２】
0003589145.tif 000003
【図３】
0003589145.tif 000004
【図４】
0003589145.tif 000005
【図５】
0003589145.tif 000006
【図６】
0003589145.tif 000007
【図７】
0003589145.tif 000008
【図８】
0003589145.tif 000009
【図９】
0003589145.tif 000010
【図１０】
0003589145.tif 000011